【手続補正書】
【提出日】令和3年5月17日(2021.5.17)
【手続補正１】
【補正対象書類名】特許請求の範囲
【補正対象項目名】全文
【補正方法】変更
【補正の内容】
【特許請求の範囲】
【請求項１】
文書、特に紙幣、身分証明書、ビザまたは有価証券であって、
キャリア基板と装飾プライとを備え、
前記単層または多層のキャリア基板は、上面および下面を有し、
前記装飾プライが前記キャリア基板の上面に塗布され、
前記キャリア基板の少なくとも１つの層は、１つ以上の第１領域がレーザによって穿孔されており、よって前記キャリア基板の下面側から前記文書を見たとき、前記１つ以上の第１領域内で前記装飾プライを視認できることを特徴とする文書。
【請求項２】
前記キャリア基板が紙基板、特に単層紙基板であること、および／または
前記キャリア基板が綿繊維、木材繊維、パルプ繊維、織物繊維および／またはプラスチック繊維を含み、および／または
前記キャリア基板が、前記キャリア基板の上面および／または下面に配置された１つ以上の、特に透明なプラスチック層を含み、前記キャリア基板の下面に配置された前記１つ以上の、特に透明なプラスチック層の少なくとも１つは、前記１つ以上の第１領域が前記レーザによって穿孔されている、および／または
前記キャリア基板は、３０μｍ〜２５０μｍ、好ましくは５０μｍ〜１００μｍの層厚を有することを特徴とする、請求項１に記載の文書。
【請求項３】
前記キャリア基板の少なくとも１つの層は、１つ以上の第２領域が前記レーザによって穿孔されており、よって前記キャリア基板の下面側から前記文書を見たとき、前記１つ以上の第２領域において前記装飾プライを視認でき、特に、前記１つ以上の第２領域は、前記１つ以上の第１領域とは異なるパターンおよび／または異なる輪郭および／または異なるコードを有することを特徴とする、請求項１または２に記載の文書。
【請求項４】
前記１つ以上の第１領域および／または第２領域の各々は、表面の所定の領域内にあり、前記１つ以上の第１領域および／または第２領域の各々は、前記キャリア基板が広がる平面に垂直な方向から見た場合に、前記表面の前記所定の領域の表面積の最大２５％、好ましくは１０％を占めることを特徴とする、請求項１から３のいずれか一項に記載の文書。
【請求項５】
前記１つ以上の第１領域および／または第２領域の幅、特に線幅、および／または直径は、キャリア基板が広がる平面に垂直な方向から見た場合に、最大２ｍｍ、好ましくは最大１ｍｍである、および／または
前記キャリア基板が広がる平面に垂直な方向から見たときに、前記１つ以上の第１領域および／または第２領域の幅、特に線幅、および／または直径は、前記装飾プライが、前記キャリア基板の下面側から見たときに、前記１つ以上の第１領域および／または第２領域において人間の目で視認できるように選択され、かつ／または、前記１つ以上の第１領域および／または第２領域の前記幅、特に前記線幅、および／または直径は、前記キャリア基板が広がる平面に垂直な方向から見たときに、少なくとも２０μｍ、特に少なくとも５０μｍ、好ましくは少なくとも１００μｍであることを特徴とする、請求項１から４のいずれか一項に記載の文書。
【請求項６】
前記第１および／または第２領域および／または１つ以上の第３領域、特に装飾プライを含む領域において、前記文書は、第１の光学的効果、特に、反射光をセンサユニットによって検出することができ、かつ／または人間の目で視認することができる第１の光学的可変効果を提供し、かつ／または、  前記第１および／もしくは第２および／もしくは第３領域のうちの１つ以上において、特に装飾プライを含む領域において、前記文書は、透過光をセンサユニットによって検出することができ、および／もしくは人間の目に見える少なくとも１つの第１の透過率を有し、かつ／または
前記第１および／もしくは前記第２および／もしくは前記第３領域の外側の領域において、特に、キャリアフィルムおよび装飾層を含む領域、好ましくは穿孔されていないキャリアフィルムおよび装飾層を含む領域、さらに好ましくは前記第１および／または第２および／または第３領域内の領域は、少なくとも１つの第２の透過率を有し、透過光がセンサユニットによって検出することができ、および／もしくは人間の目に見え、
少なくとも前記１つの第１の透過率および少なくとも１つの前記第２の透過率は、互いに異なるか、または少なくとも部分的にまたは完全に一致することを特徴とする、請求項３から５のいずれか一項に記載の文書。
【請求項７】
前記キャリア基板の前記少なくとも１つの第３領域が、スタンピングによって、および／またはレーザによって切り欠かれ、よって、特に、キャリア基板の下面側から文書を見たときに、前記少なくとも１つの第３領域において前記装飾プライを視認することができ、
特に、前記少なくとも１つの第３領域が、前記１つ以上の第１領域および／または第２領域よりも少なくとも４倍、好ましくは少なくとも８倍、さらに好ましくは少なくとも１０倍大きい表面積を有することを特徴とする、請求項１から６のいずれか一項に記載の文書。
【請求項８】
前記１つ以上の第１領域および／または第２領域が、パターン化され、特にグラフィックモチーフ、英数字、線状、点状、および／または機械可読コードとしてデザインされることを特徴とする、請求項１から７のいずれか一項に記載の文書。
【請求項９】
前記１つ以上の第１領域がライングリッド内に配置される、特に
前記ライングリッドのグリッド幅が、前記キャリア基板の層厚に実質的に対応し、および／または、前記ライングリッドのグリッド幅が、３０μｍ〜２５０μｍとの間、好ましくは５０μｍ〜１００μｍとの間、さらに好ましくは７０μｍ〜９０μｍとの間であることを特徴とする請求項１から８のいずれか一項に記載の文書。
【請求項１０】
前記装飾プライは、第１の層および第２の層を有し、前記第１の層は前記キャリア基板の上面と前記第２の層との間に配置され、
特に、前記第１の層および第２の層は、１つ以上の着色層、光学的に可変な顔料を有する１つ以上の層、１つ以上の薄膜層システム、光学的可変効果を有する１つ以上の層、着色顔料および／もしくは溶解染料を有する１つ以上の層、ならびに／または微細構造体を有する１つ以上の層の一群から選択され、
特に、前記層は、前記キャリア基板の下面側から前記文書を見たときに、可視波長範囲、特に４００ｎｍ〜８００ｎｍの波長範囲において少なくとも１つの着色効果を生み出すことを特徴とする、請求項１から９のいずれか一項に記載の文書。
【請求項１１】
前記キャリア基板の前記少なくとも１つの層は、前記１つ以上の第１領域が前記レーザによって穿孔されており、よって、前記キャリア基板の下面側から前記文書を見たときに、前記１つ以上の第１領域において前記第１の層が見え、
前記キャリア基板の前記少なくとも１つの層および前記装飾プライの前記第１の層は、前記第２領域が前記レーザによって穿孔されており、よって、前前記キャリア基板の下面側から前記文書を見たときに、前記１つ以上の第２領域において前記第２の層が見えることを特徴とする、請求項３または１０に記載の文書。
【請求項１２】
前記キャリア基板が前記１つ以上の第１領域および／または第２領域において完全に穿孔される、および／または
前記装飾プライは、少なくともある領域において透明である、および／または
前記装飾プライと、前記１つ以上の第１領域および／または第２領域および／または少なくとも１つの第３領域の穿孔との間の許容公差が、±０．１ｍｍ〜±２．０ｍｍとの間、好ましくは±０．３ｍｍ〜±１．５ｍｍとの間であることを特徴とする、請求項１から１１のいずれか一項に記載の文書。
【請求項１３】
上面および下面を有するキャリア基板を含む、特に請求項１から１２のいずれか一項に記載の文書の製造方法であって、以下のステップａ）、ｂ）、ｃ）を含み、これらのステップが、特にａ）、ｂ）、ｃ）またはａ）、ｃ）、ｂ）の順序で実施されることを特徴とする方法：
ａ）前記キャリア基板を提供するステップ、
ｂ）特にホットスタンピング、コールドスタンピング、または積層によって、前記キャリア基板の上面に装飾プライを塗布するステップ、および
ｃ）前記キャリア基板の下面側から前記文書を見たときに、１つ以上の第１領域において前記塗布された装飾プライが見えるように、当該１つ以上の第１領域において、前記キャリア基板の少なくとも１つの層をレーザで穿孔するステップ。
【請求項１４】
特にステップｂ）の前に実行される、
ｄ）前記キャリア基板の下面側から前記文書を見たときに、１つ以上の第２領域において前記装飾プライが見えるように、当該１つ以上の第２領域において、前記キャリア基板の少なくとも１つの層をレーザで穿孔するステップをさらに含み、および／または
特にステップｂ）の前に実行される、
ｅ）前記キャリア基板の下面側から前記文書を見たときに、前記キャリア基板の少なくとも１つの第３領域において前記装飾プライが見えるように、当該少なくとも１つの第３領域をスタンピング、および／またはレーザで切断するステップをさらに含み、および／または
ステップｂ）において、前記キャリア基板が広がる平面に垂直な方向から見たときに、前記装飾プライが、前記１つ以上の第１領域および／または第２領域を完全に覆うように、当該装飾プライを塗布することを特徴とする、請求項１３に記載の方法。
【請求項１５】
前記キャリア基板を搬送するための搬送装置と、
前記装飾プライを前記単層または多層キャリア基板に塗布する第１塗布装置と、
前記キャリア基板の少なくとも１つの層、特に１つ以上の第１領域を穿孔するためのレーザを備える第１ユニットと、を備えることを特徴とする、請求項１３または１４に記載の方法を実行する装置。
【手続補正２】
【補正対象書類名】明細書
【補正対象項目名】０１５４
【補正方法】変更
【補正の内容】
【０１５４】
図３ｅに示すキャリア基板２は、領域１０，１１を有する。領域１１は、線状にデザインされ、５００μｍの線幅を有する。図３ｅに示すように、領域１０は、閉じた円形の輪郭を呈し、さらに異なる線幅を有する。これにより、花の形状が形成される。領域１０，１１は互いに接続されておらず、その結果、領域１０，１１は、キャリア基板２がレーザによって穿孔されていない領域によって分離されている。ここでの領域１０の線幅は５００μｍ〜７５０μｍの間で変化する。このような線幅の変化は、例えば、キャリア基板２の穿孔中における焦点のビーム直径の変化によって発生させることができる。ここで、レーザの焦点は、特にレンズシステムを用いて有利に変更される。図３ｅに示すように、文書１をキャリア基板２の下面５側から見たときに領域１０，１１において装飾プライを視認することができる。装飾プライは、領域１０，１１において、特にＲＧＢ色空間とは異なる色を有する（図３ｅにおいて異なる陰影で示す）。したがって、装飾プライは、領域１０において赤色の色合いを有し、領域１１において緑色の色合いを有する。また、図３ｅに示すように、領域１０，１１は互いに接続される。
【手続補正３】
【補正対象書類名】明細書
【補正対象項目名】０１９５
【補正方法】変更
【補正の内容】
【０１９５】
装置１９は、ここでは、塗布装置３１ａを有し、それによって装飾プライがキャリア基板２に塗布される。装置１９は、キャリア基板２の少なくとも１つの層を穿孔するためのレーザと、キャリア基板２を搬送する役割を果たす搬送装置３０とをさらに備える。したがって、例えば、搬送装置は、キャリア基板２が巻き付けられる貯蔵ロールを備えることができる。あるいは、搬送方向を、シート状のキャリア基板２を搬送するようにデザインすることも可能である。